(57)【特許請求の範囲】
【請求項１】
奥屋根に回動自在に取り付けられた鍵盤蓋の開閉を制御するための鍵盤楽器の鍵盤蓋の開閉制御装置であって、
回転自在の軸部を有し、前記奥屋根に取り付けられ、前記軸部が所定の方向に回転するときに回転抵抗を発生させるロータリーダンパと、
前記鍵盤蓋に設けられた係合部と、
一端部が前記軸部に回動不能に連結され、他端部が前記係合部に回動自在に連結されるとともに、前記軸部および前記係合部の一方にスライド自在に係合し、前記鍵盤蓋が閉方向に回動するのに伴い、前記軸部および前記係合部の前記一方に対してスライドしながら、前記軸部と一緒に回動することにより、当該軸部を前記所定の方向に回転させることによって、前記鍵盤蓋を制動するアームと、
を備えていることを特徴とする鍵盤楽器の鍵盤蓋の開閉制御装置。
【請求項２】
前記アームには、その長さ方向に沿って、前記軸部にスライド自在に係合する長孔が形成されていることを特徴とする、請求項１に記載の鍵盤楽器の鍵盤蓋の開閉制御装置。
【請求項３】
前記軸部は、前記長孔の長さ方向に延びる矩形状を有し、その角部にＲ部が形成されていることを特徴とする、請求項２に記載の鍵盤楽器の鍵盤蓋の開閉制御装置。
【発明の詳細な説明】
【技術分野】
【０００１】
本発明は、アップライトピアノなどの回動式の鍵盤蓋の開閉を制御するための鍵盤楽器の鍵盤蓋の開閉制御装置に関する。
【背景技術】
【０００２】
従来のアップライトピアノの鍵盤蓋の開閉制御装置として、例えば特許文献１に開示されたものが知られている。このアップライトピアノの鍵盤蓋は、その後端部において、蝶番を介して、奥屋根の前端部に回動自在に取り付けられている。開閉制御装置は、ロータリーダンパおよびリンク機構で構成されている。ロータリーダンパは、奥屋根の下面の左端部に固定されており、回転自在の軸部を有し、この軸部が所定の方向に回転するときに回転抵抗を発生させ、逆方向に回転するときに無抵抗になるように構成されている。
【０００３】
リンク機構は、鍵盤蓋の左側面に固定されたステー金具と、ステー金具の反対側の端部に一端部が回動自在に連結された第１リンクバーと、一端部が第１リンクバーの他端部に回動自在に連結されるとともに、他端部がロータリーダンパの軸部に連結された第２リンクバーとで構成されている。第２リンクバーには、その長さ方向に沿ってねじ挿入孔が形成されており、その内側面に多数の鋸刃が形成されている。
【０００４】
ロータリーダンパの軸部には、その長さ方向に延びるように、ねじ孔が形成されている。そして、外周面に鋸刃が形成された円板状のワッシャを、第２リンクバーのねじ挿入孔の任意の位置に、それぞれの鋸刃を噛み合わせた状態で、ワッシャを介して、ねじを軸部のねじ孔にねじ込むことによって、第２リンクバーがロータリーダンパの軸部に固定されている。以上の構成により、ロータリーダンパの軸部に対する第２リンクバーの取り付け位置を調整することができ、それにより、ロータリーダンパに作用するモーメントを調整し、鍵盤蓋の閉じ速度を制御するようになっている。
【０００５】
しかし、この開閉制御装置では、リンク機構として３つのリンク要素、すなわち、ステー金具、第１リンクバーおよび第２リンクバーが必要であるため、部品点数が多く、その分、製造コストが高いという問題がある。また、鍵盤蓋が左右方向に長く延びるとともに、この従来の開閉制御装置では特に、リンク機構が鍵盤蓋の左右の片側のみに設けられているため、鍵盤蓋を左右バランスよく回動させることが困難である。一方、従来の開閉制御装置では、リンク機構の３つのリンク要素は、単純に互いに回動自在に連結されているため、鍵盤蓋の開閉に伴い、連結部間の距離を保ちながら回動する。このため、上記のように鍵盤蓋の開閉の際にその回動のバランスが崩れると、鍵盤蓋に作用する操作力および鍵盤蓋の自重によって、リンク要素に歪みが生じ、これを逃がすことができなくなる。その結果、鍵盤蓋を円滑に開閉できないとともに、鍵盤蓋の開閉時に、例えば、鍵盤蓋と奥屋根とを連結する蝶番の部分から雑音が発生するおそれがある。また、同じ理由から、奥屋根ががたつきやすいととともに、それが極端な場合には、奥屋根に載置された上前板が擦れるなどの不具合も生じてしまう。
【０００６】
本発明は、上記の課題を解決するためになされたものであり、部品点数の減少によって製造コストを削減できるとともに、雑音や奥屋根のがたつきの発生を防止しながら、鍵盤蓋を円滑に開閉することができる鍵盤楽器の鍵盤蓋の開閉制御装置を提供することを目的とする。
【０００７】
【特許文献１】特開２００３−２０２８５８号公報
【発明の開示】
【課題を解決するための手段】
【０００８】
この目的を達成するため、請求項１に係る発明は、奥屋根に回動自在に取り付けられた鍵盤蓋の開閉を制御するための鍵盤楽器の鍵盤蓋の開閉制御装置であって、回転自在の軸部を有し、奥屋根に取り付けられ、軸部が所定の方向に回転するときに回転抵抗を発生させるロータリーダンパと、鍵盤蓋に設けられた係合部と、一端部が軸部に回動不能に連結され、他端部が係合部に回動自在に連結されるとともに、軸部および係合部の一方にスライド自在に係合し、鍵盤蓋が閉方向に回動するときに、軸部および係合部の前記一方に対してスライドしながら、前記軸部と一緒に回動することにより、軸部を所定の方向に回転させることによって、鍵盤蓋を制動するアームと、を備えていることを特徴とする。
【０００９】
この鍵盤楽器の鍵盤蓋の開閉制御装置によれば、鍵盤蓋を閉方向に回動させると、鍵盤蓋の回動に伴って、アームは、ロータリーダンパの軸部および鍵盤蓋の係合部の一方に対してスライドしながら、所定の方向に回動する。このアームの回動に伴い、アームに回動不能に連結されたロータリーダンパの軸部が、アームと一緒に所定の方向に回転し、それにより発生するロータリーダンパの回転抵抗によって、鍵盤蓋が制動される。このように、鍵盤蓋の開閉に伴って、アームが軸部または係合部に対してスライドするので、鍵盤蓋の開閉の際、鍵盤蓋の回動のバランスが崩れた場合などに鍵盤蓋の操作力や自重によって生じ得るアームの歪みを、アームのスライドによって逃がすことができる。その結果、鍵盤蓋を円滑に回動させることができるとともに、鍵盤蓋の開閉時に、奥屋根への鍵盤蓋の取付部や、鍵盤蓋およびロータリーダンパとのアームの連結部から、雑音が発生するのを防止することができる。同じ理由から、鍵盤蓋の開閉時における奥屋根のがたつきの発生を防止することができる。
【００１０】
また、鍵盤蓋とロータリーダンパを連結する１本のアームを用いるだけでよいので、従来よりも部品点数を減少させることができ、その分、製造コストを削減することができる。
【００１１】
請求項２に係る発明は、請求項１に記載の鍵盤楽器の鍵盤蓋の開閉制御装置において、アームには、その長さ方向に沿って、軸部にスライド自在に係合する長孔が形成されていることを特徴とする。
【００１２】
この構成によれば、鍵盤蓋の開閉の際に、アームは、それに形成された長孔を介して、ロータリーダンパの軸部に対してスライドする。このように、アームは、ロータリーダンパ側でのみスライドし、鍵盤蓋側ではスライドせずに回動するだけなので、鍵盤蓋の開閉時に、アームが鍵盤蓋から外方に突出することがなく、したがって、鍵盤楽器の外観を良好に保つことができる。
【００１３】
請求項３に係る発明は、請求項２に記載の鍵盤楽器の鍵盤蓋の開閉制御装置において、軸部は、長孔の長さ方向に延びる矩形状を有し、その角部にＲ部が形成されていることを特徴とする。
【００１４】
この構成によれば、アームの長孔に係合する軸部が長孔の長さ方向に延びているので、アームのスライドを、軸部によって円滑に案内することができる。また、軸部の角部にＲ部が形成されているので、アームが回動しながらスライドする際に、長孔が軸部の角部に引っ掛かることがない。以上により、鍵盤蓋の開閉時に、アームを円滑に回動させながらスライドさせることができ、鍵盤蓋の開閉を円滑に行うことができる。
【発明を実施するための最良の形態】
【００１５】
以下、本発明の好ましい実施形態を、図面を参照しながら、詳細に説明する。図１は、本発明を適用したアップライトピアノの鍵盤蓋の開閉制御装置を示している。鍵盤蓋１は、左右方向（同図の奥行方向）に延びており、後端部（同図の左端部）において、蝶番２を介して、奥屋根３の前端部に回動自在に取り付けられている。
【００１６】
開閉制御装置４は、ロータリーダンパ５およびアーム６を備えている。ロータリーダンパ５は、オイルが充填された円筒形のケーシング７と、ケーシング７に回転自在に設けられた軸部８を有しており、奥屋根３の裏面の左端部に、取付部材９を介して、固定されている。また、ロータリーダンパ５は、軸部８が所定の方向（図１のＡ方向）に回転するときに回転抵抗を発生させ、逆方向に回転するときに無抵抗になるように構成されている。軸部８は、ケーシング７に回転自在に嵌合する本体部８ａと、この本体部８ａの外側面にねじ１３，１３を介して固定され、外方に突出した係合部８ｂで構成されている。図２に示すように、係合部８ｂは、後述する長孔１０の長さ方向に延びる矩形状の断面を有しており、その４つの角部には、Ｒ部８ｃがそれぞれ形成されている。
【００１７】
アーム６は、例えば金属で構成され、細長い板状に形成されている。アーム６の一端部には、長さ方向に延びる長孔１０が形成されており、この長孔１０がロータリーダンパ５の軸部８の係合部８ｂに係合していて、それにより、アーム６は、軸部８に対して回動不能かつスライド自在になっている。図２に示すように、長孔１０の幅Ｗ１は、係合部８ｂの幅Ｗ２にほぼ等しい。また、アーム６が係合部８ｂから抜けるのを防止するために、軸部８には、抜け止め用のストッパ１２が取り付けられている。図２および図３に示すように、このストッパ１２は、細長い板状に形成されており、軸部８の係合部８ｂの外側面に、前述したねじ１３，１３によって、固定されている。ストッパ１２は、その幅Ｗ３が長孔１０の幅Ｗ１よりも大きく、また、長さは長孔１０よりも短く、それにより、長孔１０を部分的に覆った状態になっている（なお、図１および図４では、図示の便宜上、ストッパ１２は省略されている）。
【００１８】
また、アーム６の他端部には、円形のピン孔（図示せず）が形成されている。一方、鍵盤蓋１の左側面の所定の位置には、ピン１１（係合部）が設けられている。このピン１１にアーム６のピン孔が係合しており、それにより、アーム６は、鍵盤蓋１に回動自在に連結されている。奥屋根３の後端部には、上下および左右方向に延びる上前板（図示せず）が載置されている。
【００１９】
次に、鍵盤蓋１の開閉動作を、図４を参照しながら説明する。同図（ａ）は、鍵盤蓋１の閉鎖状態を示している。この状態では、鍵盤蓋１の前端部が口棒（図示せず）に載っている。この閉鎖状態から鍵盤蓋１を持ち上げ、同図の反時計方向に回動させると、それに伴い、アーム６は、ロータリーダンパ５の軸部８に対して長孔１０に沿ってスライドしながら、同図の反時計方向に回動する。このアーム６の回動に伴い、ロータリーダンパ５の軸部８が、アーム６と一緒に反時計方向に回転する。この回転方向は同図のＡ方向とは逆なので、ロータリーダンパ５の回転抵抗はゼロになる。そして、鍵盤蓋１の前端部が上前板の前面に当接することによって、鍵盤蓋１の回動が阻止され、それにより、アーム６の回動およびロータリーダンパ５の軸部８の回転が停止し、同図（ｂ）に示す鍵盤蓋１の開放状態になる。
【００２０】
この開放状態から鍵盤蓋１を手前に引き、時計方向（閉方向）に回動させると、この鍵盤蓋１の回動に伴い、アーム６は、ロータリーダンパ５の軸部８に対して長孔１０に沿ってスライドしながら、時計方向に回動する。このアーム６の回動に伴い、ロータリーダンパ５の軸部８が、アーム６と一緒に同図のＡ方向に回転し、それにより発生するロータリーダンパ５の回転抵抗によって、鍵盤蓋１が制動される。そして、鍵盤蓋１の前端部が口棒に当接することによって、同図（ａ）に示す鍵盤蓋１の閉鎖状態に復帰する。
【００２１】
本実施形態によれば、鍵盤蓋１の回動に伴い、アーム６は、ロータリーダンパ５の軸部８に対して長孔１０に沿ってスライドしながら、回動する。このため、鍵盤蓋１の開閉の際、鍵盤蓋１の回動のバランスが崩れた場合などに鍵盤蓋１の操作力や自重によって生じ得るアーム６の歪みを、アーム６のスライドによって逃がすことができる。その結果、鍵盤蓋１を円滑に回動させることができるとともに、鍵盤蓋１の開閉時に、鍵盤蓋１と奥屋根３を連結する蝶番２の部分や、鍵盤蓋１およびロータリーダンパ５とのアーム６の連結部であるピン１１や軸部８の部分から、雑音が発生するのを防止することができる。同じ理由から、奥屋根３のがたつきの発生を防止できるとともに、奥屋根３のがたつきに起因する、その上に載置された上前板の擦れを防止することができる。また、鍵盤蓋１側と奥屋根３側を連結する１本のアーム６を用いるだけでよいので、従来よりも部品点数を減少させることができ、その分、製造コストを削減することができる。
【００２２】
また、このアーム６は、ロータリーダンパ５側でのみスライドし、鍵盤蓋１側ではスライドせずに回動するだけなので、鍵盤蓋１の開閉時に、アーム６が鍵盤蓋１から前方に突出することがなく、したがって、アップライトピアノの外観を良好に保つことができる。また、アーム６の長孔１０に係合する軸部８の係合部８ｂが長孔１０の長さ方向に延びているので、アーム６のスライドを、係合部８ｂによって円滑に案内することができる。さらに、係合部８ｂの角部にＲ部８ｃが形成されているので、アーム６が回動しながらスライドする際に、長孔１０が係合部８ｂの角部に引っ掛かることがない。以上により、鍵盤蓋１の開閉時に、アーム６を円滑に回動させながらスライドさせることができ、鍵盤蓋１の開閉を円滑に行うことができる。また、アーム６のスライド時に、アーム６に軸部８の係合部８ｂから抜け出させようとする力が作用した場合には、アーム６がストッパ１２に当接するので、それにより、アーム６が係合部８ｂから抜けるのを確実に防止することができる。
【００２３】
図５および図６は、開閉制御装置４の変形例を示している。この変形例では、ストッパ１２が省略されるとともに、ねじ１３，１３に代えて、ねじ１４，１４が用いられている。これらのねじ１４の頭部の径は、アーム６の長孔１０の幅Ｗ１よりも大きい。したがって、ねじ１４の頭部によって、ストッパ１２を用いた場合と同様、アーム６が係合部８ｂから抜けるのを確実に防止することができる。
【００２４】
なお、本発明は、説明した実施形態に限定されることなく、種々の態様で実施することができる。本実施形態では、アーム６の長孔１０をロータリーダンパ５側に、ピン孔を鍵盤蓋１側に配置しているが、これを逆にしてもよい。また、アーム６を軸部８にスライド自在かつ回動不能に連結する構成として、アーム６に形成した長孔１０と、この長孔１０に係合する矩形状の軸部８を採用しているが、これに限らず、他の適当な構成を採用することが可能である。
【００２５】
また、実施形態では、開閉制御装置４を鍵盤蓋１の左側だけに設けたが、左右の両側に設けてもよい。これにより、鍵盤蓋１をさらに左右バランスよく回動させることができる。また、鍵盤蓋１に操作力が偏って作用したなどのために鍵盤蓋１の回動のバランスが崩れたとしても、それによってアーム６，６に生じ得る歪みを、両アーム６，６のスライドにより協働して逃がすことができるので、鍵盤蓋１の開閉をさらに円滑に行うことができる。さらに、アーム６の抜け止め用のストッパ１２やねじ１４が設けられているが、鍵盤蓋１が左右方向のぶれが少ない状態で設けられていることなどのために、アーム６が係合部８ｂから抜けるおそれがない場合には、これらのストッパ１２やねじ１４を省略してもよい。その他、本発明の趣旨の範囲内で、細部の構成を適宜、変更することが可能である。
【図面の簡単な説明】
【００２６】
【図１】本発明を適用したアップライトピアノの鍵盤蓋の開閉制御装置を示す側面図である。
【図２】図１のロータリーダンパ付近の部分拡大側面図である。
【図３】図２を左斜め上方から見た図である。
【図４】鍵盤蓋を（ａ）閉鎖状態および（ｂ）開放状態において示す側面図である。
【図５】開閉制御装置の変形例を示す、図２と同様の部分拡大側面図である。
【図６】図５を左斜め上方から見た図である。
【符号の説明】
【００２７】
１    鍵盤蓋
３    奥屋根
４    開閉制御装置
５    ロータリーダンパ
６    アーム
８    軸部
８ｃ  Ｒ部
１０    長孔
１１    ピン（係合部）
【図１】
0004839057.tif 000002
【図２】
0004839057.tif 000003
【図３】
0004839057.tif 000004
【図４】
0004839057.tif 000005
【図５】
0004839057.tif 000006
【図６】
0004839057.tif 000007